(57)【要約】【課題】引戸扉に取り付けられる手摺りの支持強度を扉に依存しないようにして、手摺りの安定性や信頼性の向上を図る。【解決手段】引戸扉７，７が開いたときの建物の開口部４の有効開口４Ｅと重ならない位置の床面に柱部材１０を起立して設け、この柱部材１０に左右のスライド手摺り１２，１２の戸尻側端部１２ａ，１２ａを回転軸１４を介して回動可能に支持し、スライド手摺り１２，１２の戸先側端部１２ｂ，１２ｂは引戸扉７，７の戸先端部に案内レール１６によって上方にスライド可能に支持する。スライド手摺り１２，１２は、引戸扉７，７の閉じ状態では床面に沿って直線状に延びる一方、引戸扉７，７の開き動作時には、戸先側端部１２ｂが上方にスライド動作して、開口部４の有効開口４Ｅと重ならないように回転軸１４を中心に回動するものとする。【選択図】図１
2016061103.tif 000002
【特許請求の範囲】
【請求項１】
建物の開口部を開閉する引戸扉と、
上記引戸扉が開いたときの上記開口部の有効開口と重ならない位置の床面に起立して設けられた柱部材と、
上記閉じ状態にある引戸扉の戸尻側に位置する戸尻側端部及び戸先側に位置する戸先側端部を有し、上記戸尻側端部が上記柱部材に回転軸を介して回動可能に支持されている一方、戸先側端部が引戸扉の戸先端部に上方にスライド可能に支持されたスライド手摺りとを備え、
上記スライド手摺りは、引戸扉の閉じ状態では床面に沿って直線状に延びる一方、引戸扉の開き動作時には、上記戸先側端部が上方にスライド動作して、開口部の有効開口と重ならないように上記回転軸を中心に回動するものとされていることを特徴とする手摺り付き引戸。
【請求項２】
請求項１において、
閉じ状態にある引戸扉の開き操作により開き操作力がスライド手摺りに加わったときに、該スライド手摺りの戸先側端部を上方にスライドするように案内する案内構造が設けられていることを特徴とする手摺り付き引戸。
【請求項３】
請求項１又は２において、
スライド手摺りの戸先側端部は、上下方向に延びる上下方向部と、該上下方向部の上端に接続され、水平方向に延びる水平部とを有する案内レールにスライド可能に支持されていることを特徴とする手摺り付き引戸。
【請求項４】
請求項１〜３のいずれか１つにおいて、
開口部周囲には、床面に沿って直線状に延びる固定手摺りが設けられており、
スライド手摺りは、引戸扉の閉じ状態で直線状に延びたときに、戸先側端部から開口部の外側まで延びる延長部を有していて該延長部を介して上記固定手摺りに接続されていることを特徴とする手摺り付き引戸。
【請求項５】
請求項４において、
固定手摺りは、開口部に連通する廊下の壁面又は床面に固定されていることを特徴とする手摺り付き引戸。
【請求項６】
請求項１〜５のいずれか１つの手摺り付き引戸が施工されたことを特徴とする建物。
【発明の詳細な説明】
【技術分野】
【０００１】
本発明は、手摺り付き引戸及びその手摺り付き引戸が施工された建物に関する。
【背景技術】
【０００２】
近年、高齢者人口の増加に伴って在宅介護の形態が増加しており、住宅内における高齢者向けの様々な配慮は今後も増大の一途を辿るものと予測されている。この高齢者向けの配慮として、手摺りを取り付けて歩行を補助し或いは安全性を向上させることが一般に想定され、その１例として、手摺りを引戸の扉に取り付けることが知られている。
【０００３】
例えば特許文献１や特許文献２には、引戸扉の戸先側に手摺りの一端部を水平軸回りに回動可能に支持し、手摺りの他端部に、戸尻側の取付柱や壁等の固定体に取り付けられた上下方向に延びる案内レールに沿って移動するローラを取付支持することで、引戸扉の閉じ状態では、ローラを案内レールの下端部に位置付けて手摺りを水平に保持し、手摺りの使用状態とする一方、引戸扉の開き状態では、ローラを案内レールの上端部に位置付けて手摺りを垂直に保持し、手摺りが引戸の開口の通行の邪魔にならないようにすることが提案されている。
【先行技術文献】
【特許文献】
【０００４】
【特許文献１】特許第４６３９３５８号
【特許文献２】特開２０１３−２５６８０８号公報
【発明の概要】
【発明が解決しようとする課題】
【０００５】
しかし、上記従来のものでは、手摺りの回動端であるローラは案内レールを介して取付柱等に支持されているものの、回動中心となる端部は扉に支持されており、手摺りの支持強度を扉に依存している。そのため、使用者が手摺りに掴まって、その手摺りに荷重が加わったときに、その荷重を主として、手摺りの回動中心となる端部が支持された扉で受けることとなり、手摺りの安定性や信頼性が不十分となる。
【０００６】
本発明は斯かる点に鑑みてなされたもので、その目的は、引戸扉に対する手摺りの取付構造に工夫を加えることにより、その手摺りの支持強度を扉に依存しないようにして、手摺りの安定性や信頼性の向上を図ることにある。
【課題を解決するための手段】
【０００７】
上記の目的を達成するために、この発明では、床面に柱部材を立設して、その柱部材に手摺りの回動中心となる端部を支持し、手摺りの回動端部を扉の戸先側端部に上下方向にスライド移動可能に支持するようにした。
【０００８】
具体的には、第１の発明に係る手摺り付き引戸は、建物の開口部を開閉する引戸扉と、この引戸扉が開いたときの上記開口部の有効開口と重ならない位置の床面に起立して設けられた柱部材と、上記閉じ状態にある引戸扉の戸尻側に位置する戸尻側端部及び戸先側に位置する戸先側端部を有し、上記戸尻側端部が上記柱部材に回転軸を介して回動可能に支持されている一方、戸先側端部が引戸扉の戸先端部に上方にスライド可能に支持されたスライド手摺りとを備え、このスライド手摺りは、引戸扉の閉じ状態では床面に沿って直線状に延びる一方、引戸扉の開き動作時には、上記戸先側端部が上方にスライド動作して、開口部の有効開口と重ならないように上記回転軸を中心に回動するものとされていることを特徴とする。
【０００９】
この第１の発明では、スライド手摺りの戸尻側端部は柱部材に回転軸を介して回動可能に支持され、戸先側端部は引戸扉の戸先端部に上方にスライド可能に支持されており、引戸扉が閉じ状態にあるとき、スライド手摺りは、柱部材と引戸扉の戸先端部とに亘って床面に沿って直線状に延びている。この床面に沿って直線状に延びた手摺りに掴まることで、その手摺りが使用される。一方、引戸扉の開き動作時には、手摺りは柱部材に支持された戸尻側端部の回転軸を中心に回動して、その戸先側端部が上方にスライド動作し、このことで手摺りは開口部の有効開口と重ならないようになる。
【００１０】
このように手摺りの回動中心となる端部（戸尻側端部）が床面上の柱部材に支持され、回動端である戸先側端部が引戸扉の戸先端部にスライド移動可能に支持されているので、引戸扉が閉じ状態にあって手摺りが直線状あるときに、その手摺りに荷重が加わると、その荷重は主として回動中心側の柱部材で受けることができ、手摺りの安定性や信頼性が向上する。
【００１１】
また、引戸扉の開き動作に伴ってスライド手摺りの戸先側端部が上方にスライドして、スライド手摺りが開閉バーのように上がるので、手摺りの回動中心となる端部を引戸扉に支持し、回動端を戸枠に支持する場合に比べて、手摺りの動きの見映えが良くなる。
【００１２】
第２の発明は、第１の発明において、閉じ状態にある引戸扉の開き操作により開き操作力がスライド手摺りに加わったときに、該スライド手摺りの戸先側端部を上方にスライドするように案内する案内構造が設けられていることを特徴とする。
【００１３】
この第２の発明では、引戸扉が閉じ状態から開かれて、その開き操作力がスライド手摺りに加わると、案内構造によりスライド手摺りの戸先側端部が上方にスライドするように案内される。このことで、引戸扉の開き動作に合わせてスライド手摺りをスムーズに回動させることができる。
【００１４】
第３の発明は、第１又は第２の発明において、スライド手摺りの戸先側端部は、上下方向に延びる上下方向部と、この上下方向部の上端に接続され、水平方向に延びる水平部とを有する案内レールにスライド可能に支持されていることを特徴とする。
【００１５】
この第３の発明では、引戸扉の開き動作に伴いスライド手摺りの戸先側端部が案内レールの上下方向部を上昇して上端の水平部に移動したとき、その水平部に移動した戸先側端部は該水平部に乗上げ状態で保持されるようになる。このことで、スライド手摺りの自重等によってその戸先側端部が下降移動するのを阻止することができ、引戸扉が開き状態にあるときの該引戸扉の自閉現象を防ぐことができる。
【００１６】
第４の発明は、第１〜第３の発明のいずれか１つにおいて、開口部周囲には、床面に沿って直線状に延びる固定手摺りが設けられており、スライド手摺りは、引戸扉の閉じ状態で直線状に延びたときに、戸先側端部から開口部の外側まで延びる延長部を有していて該延長部を介して上記固定手摺りに接続されていることを特徴とする。
【００１７】
この第４の発明では、引戸扉の閉じ状態でスライド手摺りが床面に沿って直線状に延びたときに、その開口部の外側まで延びている延長部が開口部周囲の固定手摺りに実質的に接続される。このことで、引戸扉が閉じ状態にあるときに、引戸扉側のスライド手摺りと開口部周囲の固定手摺りとを連続させることができる。尚、スライド手摺りの延長部が開口部の外側まで延びていても、引戸扉が開いたときには、その延長部が上昇するので、開口部の有効開口に大きく重なることはない。
【００１８】
第５の発明は、第４の発明において、固定手摺りは、開口部に連通する廊下の壁面又は床面に固定されていることを特徴とする。
【００１９】
この第５の発明では、引戸扉が閉じ状態にあるときに、引戸扉側のスライド手摺りと開口部周囲で廊下の壁面又は床面の固定手摺りとを連続させることができる。
【００２０】
第６の発明に係る建物は、第１〜第５の発明のいずれか１つの手摺り付き引戸が施工されたことを特徴とする。
【００２１】
この第６の発明では、荷重が加わっても安定性や信頼性が向上した手摺りを有する手摺り付き引戸が施工された建物が得られる。
【発明の効果】
【００２２】
以上説明したように、本発明によると、建物の開口部を開閉する引戸扉が開いたときの開口部の有効開口と重ならない位置の床面に柱部材を設け、この柱部材に、スライド手摺りの戸尻側端部を回転軸を介して回動可能に連結する一方、スライド手摺りの戸先側端部を引戸扉の戸先端部に上方にスライド可能に支持し、このスライド手摺りを、引戸扉の閉じ状態では床面に沿って直線状に延び、引戸扉の開き動作時には、戸先側端部が上方にスライド動作して、開口部の有効開口と重ならないように回転軸を中心に回動するものとしたことにより、引戸扉が閉じ状態にあって手摺りが直線状あるときに、その手摺りに加わる荷重を主として柱部材で受けることができ、手摺りの安定性や信頼性の向上を図るとともに、手摺りの動きの見映えの向上を図ることができる。
【図面の簡単な説明】
【００２３】
【図１】図１は、本発明の実施形態１に係る引違い納まりの手摺り付き引戸を廊下側から見た正面図である。
【図２】図２は、手摺り付き引戸の概略平面図である。
【図３】図３は、柱部材に対するスライド手摺りの支持構造を示す斜視図である。
【図４】図４は、スライド手摺りの戸先側端部の引戸に対する支持構造を示す一部破断平面図である。
【図５】図５は、手摺り付き引戸の左側引戸扉を開閉したときの手摺りの動きを模式的に示す正面図である。
【図６】図６は、手摺り付き引戸の右側引戸扉を開閉したときの手摺りの動きを模式的に示す正面図である。
【図７】図７は、実施形態２を示す図１相当図である。
【図８】図８は、実施形態２を示す図５相当図である。
【図９】図９は、実施形態２を示す図６相当図である。
【図１０】図１０は、案内構造を概略的に示す正面図である。
【図１１】図１１は、案内レールの他の形状を示す正面図である。
【図１２】図１２は、引戸扉の開き動作の初期にスライド手摺りを遅れてスライドさせるための遅延機構を示す斜視図である。
【図１３】図１３は、片引き納まりの手摺り付き引戸を示す図２相当図である。
【図１４】図１４は、引込み納まりの手摺り付き引戸を示す図２相当図である。
【図１５】図１５は、引分け納まりの手摺り付き引戸を示す図２相当図である。
【図１６】図１６は、アウトセットタイプの片引き納まりの手摺り付き引戸を示す図２相当図である。
【図１７】図１７は、アウトセットタイプの引分け納まりの手摺り付き引戸を示す図２相当図である。
【発明を実施するための形態】
【００２４】
以下、本発明の実施形態を図面に基づいて詳細に説明する。以下の実施形態の説明は、本質的に例示に過ぎず、本発明、その適用物或いはその用途を制限することを意図するものでは全くない。
【００２５】
（実施形態１）
図１及び図２は本発明の実施形態１に係る手摺り付き引戸Ｄを示し、この引戸Ｄは例えば吊り戸タイプの引違い納まり構造とされている。すなわち、引戸Ｄは、建物における例えば廊下Ｃと室Ｒとの間の開口に施工された戸枠１を有し、この戸枠１は、廊下Ｃ側の前側から見て左右に位置する２本の縦枠２，２と、両縦枠２，２の上端部間に横架された上枠３（鴨居）とを備え、この戸枠１の内部に、前側の廊下Ｃと後側の室Ｒとに連通する開口部４が形成されている。
【００２６】
上記上枠３には戸枠１内の開口部４を開閉する左右２枚の引戸扉７，７が吊下げ支持されている。この各引戸扉７は上枠３に対し、図示しないが、上枠３に固定した上吊りレール内で、引戸扉７に固定した吊り戸車を移動させることによって左右方向にスライド移動可能に吊下げられており、引戸Ｄは、各引戸扉７が戸枠１内に配置されたインセットタイプとされている。また、同様に図示しないが、各引戸扉７の下端面には長さ方向に延びるガイド溝が形成され、このガイド溝には、上枠３の左右略中央真下の床面に各引戸扉７に対応して取付固定した床付けガイドピンが摺動可能に係合されており、この床付けガイドピンとガイド溝との係合によって各引戸扉７の下端部が左右方向にスライド移動可能にかつ前後方向に移動不能に支持されている。このような引戸扉７下端部の支持構造によって、後述するように戸先側端部１２ｂが引戸扉７に支持されたスライド手摺り１２に荷重がかかっても引戸扉７が後側にずれずに荷重を受け得るようになっている。
【００２７】
そして、左側引戸扉７は右側引戸扉７よりも例えば後側（室Ｒ側）に配置され、左側引戸扉７を左端に、また右側引戸扉７を右端にそれぞれ移動させたときには、両引戸扉７，７が閉じ状態になって開口部４を閉じ、この両引戸扉７，７の閉じ状態で左側引戸扉７の右端部と右側引戸扉７の左端部とが部分的に前後に重なっている。また、左側引戸扉７のみを右側に移動させて、その大半部を右端にある右側引戸扉７に前後に重ねたときには、左側引戸扉７が開き状態となって開口部４の略左側半部を有効開口４Ｅとして開く一方、逆に右側引戸扉７のみを左側に移動させて、その大半部を左端にある左側引戸扉７に前後に重ねたときには、右側引戸扉７が開き状態となって開口部４の略右側半部を有効開口４Ｅとして開くようになっている。尚、左側及び右側引戸扉７，７を共に開いたときには、開口部４の左右両側部を有効開口４Ｅ，４Ｅとして開くようになっている。
【００２８】
上記左側引戸扉７の右端部と右側引戸扉７の左端部とはいずれも戸尻端部であり、両引戸扉７，７が閉じ状態にあるときに、上述の如く、これらの戸尻端部で部分的に前後に重なっている。この両引戸扉７，７の戸尻端部が部分的に前後に重なる範囲（図１で斜線を記載した部分）は、両引戸扉７，７がそれぞれ開いたときに開口部４に形成される有効開口４Ｅと前側（廊下Ｃ側）から見て重ならない位置となっており、この位置に含まれる廊下Ｃの床面に柱部材１０が起立して傾倒不能に固定されている。
【００２９】
上記柱部材１０は、通常一般の手摺りの高さ位置に相当する高さを有する例えば円柱状のもので、図３に示すように、その上端部には、例えば柱部材１０の前後両側を対称に切り欠くことで板形状の支持部１０ａが形成され、この支持部１０ａには前後方向に貫通する軸孔（図示せず）が形成されている。
【００３０】
上記閉じ状態にある左側引戸扉７の前側（廊下Ｃ側）には該左側引戸扉７に対応する左側スライド手摺り１２が、また同様に閉じ状態にある右側引戸扉７の前側（廊下Ｃ側）には該右側引戸扉７に対応する右側スライド手摺り１２がそれぞれ配置されている。各スライド手摺り１２は、対応する引戸扉７が閉じ状態にあるときにその戸尻側に位置する戸尻側端部１２ａ及び戸先側に位置する戸先側端部１２ｂを有し、左側スライド手摺り１２の戸尻側端部１２ａ（右端部）と、右側スライド手摺り１２の戸尻側端部１２ａ（左端部）とはいずれも上記柱部材１０の上端部に回動可能に支持されている。具体的には、図３に示すように、左側スライド手摺り１２の戸尻側端部１２ａ（右端部）及び右側スライド手摺り１２の戸尻側端部１２ａ（左端部）にはそれぞれブラケット１３，１３が一体的に取付固定され、例えば左側スライド手摺り１２のブラケット１３には後側を段差状に切り欠くことで切欠き段差部１３ａが、また右側スライド手摺り１２のブラケット１３には前側を段差状に切り欠くことで切欠き段差部１３ａがそれぞれ形成され、各切欠き段差部１３ａには前後方向の軸孔（図示せず）が形成されており、両切欠き段差部１３ａ，１３ａをそれぞれ上記柱部材１０の支持部１０ａに該支持部１０ａを前後から挟むように重ね合わせ、切欠き段差部１３ａ，１３ａの軸孔と柱部材１０の支持部１０ａの軸孔とに前後水平方向の回転軸１４を挿通させることで、各スライド手摺り１２の戸尻側端部１２ａが柱部材１０に回転軸１４を介して鉛直面内で回動可能に支持されている。
【００３１】
各引戸扉７における戸先端部の前面、つまり左側引戸扉７にあっては左端部の前面、右側引戸扉７にあっては右端部の前面にはそれぞれ上下方向に直線状に延びる案内レール１６が取付固定されている。この各案内レール１６は前壁部の幅方向中央部が長さ方向全体に亘って開放された断面コ字状の金属部材等からなり、上下端部は閉塞されている。案内レール１６の下端部は上記柱部材１０の上端部と同じ又は略同じ高さ位置とされ、上端部は、スライド手摺り１２が後述するように回動して起立状態に跳ね上がったときに、その戸先側端部１２ｂが到達する高さ位置に設定されている。
【００３２】
図４にも示すように、上記左側スライド手摺り１２の戸先側端部１２ｂ（左端部）と、右側スライド手摺り１２の戸先側端部１２ｂ（右端部）とにはそれぞれブラケット１８，１８が一体的に取付固定されている（図４では右側スライド手摺り１２の戸先側端部１２ｂのみを例示している）。この各ブラケット１８において引戸扉７に対向する後面には支持部１９が後方に水平に突出するように設けられ、この支持部１９は、先端部（後端部）が案内レール１６内に位置するようにその前側開放口に挿通され、この支持部１９の先端部には、案内レール１６内に収容されて該案内レール１６内を転動するローラ２０がベアリング２１を介して回転可能に支持されており、各スライド手摺り１２の戸先側端部１２ｂは、対応する各引戸扉７の戸先端部にローラ２０及び案内レール１６によって上方にスライド可能に支持されている。
【００３３】
そして、上記各引戸扉７の閉じ状態では、該引戸扉７に対応する各スライド手摺り１２の戸先側端部１２ｂのローラ２０が案内レール１６の下端部に移動することで、各スライド手摺り１２が床面に沿って水平又は略水平に直線状に延びる水平位置（使用位置）に位置付けられる一方、引戸扉７が閉じ状態から開く開き動作時には、各スライド手摺り１２の戸先側端部１２ｂがそのローラ２０の案内レール１６内での転動により上方にスライド動作して案内レール１６の上端部に移動することで、スライド手摺り１２が引戸Ｄにおける開口部４の有効開口４Ｅと重ならないように戸尻側端部１２ａの回転軸１４を中心に回動して跳ね上げ位置（非使用位置）に位置付けられるようになっている。
【００３４】
上記各引戸扉７の前面及び後面にはそれぞれ引手（図示せず）が設けられているが、前面に設けられる引手は、移動する手摺り１２と干渉しないように水平位置にある手摺り１２よりも下側に配置されている。
【００３５】
次に、上記実施形態の手摺り付き引戸Ｄの動作について図５及び図６により説明する。尚、図５及び図６では、柱部材１０、スライド手摺り１２等を模式的に示している。
【００３６】
図５（ａ）に示すように、左側及び右側引戸扉７，７がいずれも閉じ状態にあるとき、左側引戸扉７の前側に位置する左側スライド手摺り１２の戸尻側端部１２ａ（右端部）が柱部材１０の上端部に支持され、戸先側端部１２ｂ（左端部）は左側引戸扉７前面の案内レール１６の下端部に位置しており、その左側スライド手摺り１２は、柱部材１０と案内レール１６の下端部（引戸扉７の戸先端部）とに亘って床面に沿って水平又は略水平に直線状に延びる水平位置（使用位置）に位置付けられている。一方、右側引戸扉７の前側に位置する右側スライド手摺り１２の戸尻側端部１２ａ（左端部）は柱部材１０の上端部に支持され、戸先側端部１２ｂ（右端部）は右側引戸扉７前面の案内レール１６の下端部に位置しており、右側スライド手摺り１２は、これら柱部材１０と案内レール１６の下端部（引戸扉７の戸先端部）とに亘って床面に沿って水平又は略水平に直線状に延びる水平位置（使用位置）に位置付けられている。すなわち、左側及び右側スライド手摺り１２，１２は両引戸扉７，７の前側の廊下Ｃにおいて、その床面に沿って一直線状に水平に延びた状態にあり、この両手摺り１２，１２は、一方又は両方を利用者が掴まることで使用される。
【００３７】
このような状態から、利用者が左側引戸扉７を開いて右側に移動させると、まず、図５（ｂ）に示すように、その開き操作力により左側スライド手摺り１２が右側に押され、その戸尻側端部１２ａが支持されている柱部材１０の上端部からの反力により左側スライド手摺り１２の戸先側端部１２ｂのローラ２０が案内レール１６内を転動しながら案内レール１６の下端部から上側に向かって移動し、戸先側端部１２ｂが上方にスライド動作する。つまり、左側スライド手摺り１２は、柱部材１０に支持された戸尻側端部１２ａの回転軸１４を中心に図５で時計回り方向に回動するように跳ね上がる。
【００３８】
そして、左側引戸扉７が右側端に移動して大半が右側引戸扉７と重なる全開状態になると、図５（ｃ）に示すように、左側スライド手摺り１２の戸先側端部１２ｂのローラ２０が案内レール１６の上端部に移動して跳ね上げ位置（非使用位置）に位置付けられる。
【００３９】
以上のような左側引戸扉７の開き動作により引戸Ｄの開口部４における有効開口４Ｅが大きくなると、それに応じて左側スライド手摺り１２が水平位置から跳ね上げ位置に移動する。そのため、その手摺り１２が開口部４の有効開口４Ｅと重ならず、左側引戸扉７を開いて有効開口４Ｅを通る利用者の妨げになることは生じない。
【００４０】
左側引戸扉７を開き状態から閉じるときには、その左側引戸扉７の閉じ動作に伴って左側スライド手摺り１２は上記開き動作とは逆に図５で反時計回り方向に回動して跳ね上げ位置から水平位置に戻る。
【００４１】
一方、図６（ａ）（図５（ａ）と同じである）に示すように、両引戸扉７，７の閉じ状態において、利用者が右側引戸扉７を開いて左側に移動させると、まず、図６（ｂ）に示すように、その開き操作力により右側スライド手摺り１２が左側に押され、その戸尻側端部１２ａが支持されている柱部材１０の上端部からの反力により右側スライド手摺り１２の戸先側端部１２ｂのローラ２０が案内レール１６内を転動しながら案内レール１６の下端部から上側に向かって移動し、戸先側端部１２ｂが上方にスライド動作する。このことで、右側スライド手摺り１２は、柱部材１０に支持された戸尻側端部１２ａの回転軸１４を中心に図６で反時計回り方向に回動するように跳ね上がる。
【００４２】
そして、右側引戸扉７が左側端に移動して大半が左側引戸扉７と重なる全開状態になると、図６（ｃ）に示すように、右側スライド手摺り１２の戸先側端部１２ｂのローラ２０が案内レール１６の上端部に移動して跳ね上げ位置（非使用位置）に位置付けられる。
【００４３】
以上のような右側引戸扉７の開き動作により引戸Ｄの開口部４における有効開口４Ｅが大きくなるが、それに応じて右側スライド手摺り１２が水平位置から跳ね上げ位置に移動するので、その手摺り１２が開口部４の有効開口４Ｅと重ならず、有効開口４Ｅを通る利用者の妨げになることは生じない。
【００４４】
右側引戸扉７を開き状態から閉じるときには、その右側引戸扉７の閉じ動作に伴って右側スライド手摺り１２は上記開き動作とは逆に図６で時計回り方向に回動して跳ね上げ位置から水平位置に戻る。
【００４５】
したがって、この実施形態においては、左右両側のスライド手摺り１２，１２の各々の回動中心となる戸尻側端部１２ａが廊下Ｃ床面上の柱部材１０に支持され、回動端である戸先側端部１２ｂが引戸扉７の戸先端部にローラ２０及び案内レール１６によってスライド移動可能に支持されているので、各引戸扉７が閉じ状態にあって各手摺り１２が直線状にあるときに利用者が各手摺り１２に掴まった際、その手摺り１２に加わる荷重は主として戸尻側端部１２ａにある回動中心側の柱部材１０で受けることができる。その結果、同荷重を引戸扉７で受ける場合に比べ、安定して荷重を受けることができ、手摺り１２の安定性や信頼性を向上させることができる。
【００４６】
また、各引戸扉７の開き動作に伴い、対応する各スライド手摺り１２の戸先側端部１２ｂが上方にスライドして、そのスライド手摺り１２が恰も開閉バーのように上がるので、手摺りの回動中心となる端部を扉に支持し、回動端を戸枠に支持する場合に比べて、手摺り１２の動きの見映えが良くなる。
【００４７】
（実施形態２）
図７は本発明の実施形態２を示し（尚、以下の実施形態では、図１〜図６と同じ部分については同じ符号を付してその詳細な説明は省略する）、手摺り付き引戸Ｄのスライド手摺り１２を戸枠１の開口部４周りの固定手摺りに連続させるようにしたものである。
【００４８】
この実施形態では、手摺り付き引戸Ｄの開口部４周囲の左右両側には、開口部４に連通する廊下Ｃの壁面に固定手摺り２５，２５が床面に沿って直線状に延びるように取付固定されている。この左右の固定手摺り２５，２５の高さ位置は、手摺り付き引戸Ｄの左右両側のスライド手摺り１２，１２と同じである。そして、各スライド手摺り１２は、引戸扉７の閉じ状態で直線状に延びて水平位置にあるときに、戸先側端部１２ｂから開口部４の外側まで延びる延長部１２ｃを有しており、その延長部１２ｃを介して上記固定手摺り２５に実質的に接続されている。その他の構成は実施形態１と同じである。
【００４９】
この実施形態において、手摺り付き引戸Ｄの動作を図８及び図９に示す。この動作は実施形態１の動作と同じであるので、詳細な説明は省略するが、図８が左側引戸扉７を開閉したときの左側スライド手摺り１２の動きを、また図９が右側引戸扉７を開閉したときの右側スライド手摺り１２の動きをそれぞれ示している。具体的には、図８（ａ）が実施形態１の図５（ａ）に、また図８（ｂ）が実施形態１の図５（ｂ）に、さらに図８（ｃ）が実施形態１の図５（ｃ）にそれぞれ対応している。また、図９（ａ）が実施形態１の図６（ａ）に、また図９（ｂ）が実施形態１の図６（ｂ）に、さらに図９（ｃ）が実施形態１の図６（ｃ）にそれぞれ対応している。
【００５０】
したがって、この実施形態でも実施形態１と同様の作用効果が得られる。そして、図７に示すように、左右両側の引戸扉７，７の閉じ状態で両スライド手摺り１２，１２が床面に沿って直線状に延びたときに、その開口部４の外側まで延びている延長部１２ｃ，１２ｃが開口部４周囲の廊下Ｃにおける固定手摺り２５，２５に実質的に接続されるので、各引戸扉７が閉じ状態にあるときに、その引戸扉７側のスライド手摺り１２と開口部４周囲の廊下Ｃの固定手摺り２５とを連続させることができ、途切れのない一連の手摺りによって使い勝手を良くすることができる。
【００５１】
また、スライド手摺り１２の延長部１２ｃが開口部４の外側まで延びていても、引戸扉７が開いたときには、図８（ｂ）、図８（ｃ）、図９（ｂ）及び図９（ｃ）に示すように、その延長部１２ｃが上昇するので、延長部１２ｃの先端部が部分的に開口部４の有効開口４Ｅに部分的に重なるだけであり、有効開口４Ｅを通る利用者の邪魔になることはない。
【００５２】
尚、固定手摺り２５は廊下Ｃの壁面ではなく、床面に固定支持するようにしてもよい。
【００５３】
（その他の実施形態）
上記閉じ状態にある引戸扉７の開き操作により開き操作力がスライド手摺り１２に加わったときに、該スライド手摺り１２の戸先側端部１２ｂを上方にスライドするように案内する案内構造を設けることができる。この案内構造の１例として、例えば図１０に示すように、案内レール１６の下端部に引戸扉７の戸尻側（図１０で左側）に向かって上側に向かうように傾斜する傾斜面１６ａを形成すればよい。こうすることで、引戸扉７が開き操作されてスライド手摺り１２が戸先側に向かう方向に押されたとき、ローラ２０が傾斜面１６ａに案内されて上方向に向かうようになり、このことで、引戸扉７の開き動作に合わせてスライド手摺り１２をスムーズに回動させることができる。
【００５４】
上記実施形態では、案内レール１６は上下方向に直線状に延びるものとしているが、他の形状にすることもできる。例えば図１１（ａ）に示すように、戸先側に向かって上方に向かうように傾斜して直線状に延びる形状や、図１１（ｂ）に示すように上下中間部が上下方向に延びる上下方向部１６ｂとされる一方、上下端部が水平方向に延びる水平部１６ｃ，１６ｃとされ、上下方向部１６ｂ（中間部）と水平部１６ｃ，１６ｃ（上下端部）とが滑らかな円弧で接続された形状等を採用することができる。こうすることで、引戸扉７の移動に応じて手摺り１２のスライド動作に種々の変化等を持たせることができる。特に図１１（ｂ）に示すように、案内レール１６の上端部に水平方向に延びる水平部１６ｂ（図１１（ｂ）上側のもの）を形成することで、その水平部１６ｂに移動したローラ２０が該水平部１６ｂに乗上げ状態で保持されるようにすることができる。こうすれば、引戸扉７が開き状態にあるときに、スライド手摺り１２の自重等によってローラ２０が下降移動するのを阻止することができ、引戸扉７の自閉現象を防ぐことができる。
【００５５】
引戸扉７が閉じ状態にあってスライド手摺り１２が水平位置（使用位置）にあるとき、そのスライド手摺り１２に利用者が掴まって下向きの荷重が加わると、そのスライド手摺り１２が水平位置にロック保持され、それに伴って引戸扉７も開かないようにする機構を設けることもできる。
【００５６】
例えば、案内レール１６の下端部に水平方向に延びる水平部を形成して（図１１（ａ）参照）、その水平部の底面に、ローラ２０が嵌入されたときに引戸扉７が開き操作されてもローラ２０が移動できないような係合凹部を形成して、その係合凹部内に出没する規制部材と、この規制部材を突出方向に付勢するばねとを設け、常時（手摺り１２の不使用時）はばねによって規制部材を突出させてローラ２０が係合凹部に嵌入されないようにしておき、手摺り１２に使用によって荷重が加わると、その荷重により規制部材をばねの付勢力に抗して没入させ、ローラ２０を係合凹部に嵌入保持して上昇移動不能にするようにすればよい。
【００５７】
また、同様に、案内レール１６の下端部に水平方向に延びる水平部を形成した上で、その水平部の底面にピン嵌入部を凹設する一方、スライド手摺り１２は、荷重が加わるとその戸先側端部１２ｂがローラ２０に対し相対的に下降移動するようにしておき、この戸先側端部１２ｂに下方に突出するピンを設け、戸先側端部１２ｂをローラ２０に対し相対的に上昇方向に付勢するばねを設け、常時（手摺り１２の不使用時）はばねによって戸先側端部１２ｂを上昇させてピンがピン嵌入部に嵌入しないようにしておき、手摺り１２に使用によって荷重が加わると、その荷重により戸先側端部１２ｂをばねの付勢力に抗して下降移動させ、ピンをピン嵌入部に嵌入保持してローラが上昇移動できないようにしてもよい。
【００５８】
このようにすれば、スライド手摺り１２に利用者が掴まってその手摺り１２を使用している状態では、引戸扉７は閉じ状態にロックされるので、その引戸扉７が、特にスライド手摺り１２のない室Ｒ側から不用意に開かれるのを防止することができる。
【００５９】
また、各スライド手摺り１２の戸尻側端部１２ａをブラケット１３に固定するのではなく、図１２に示すように、スライド手摺り１２の戸尻側端部１２ａに他の部分よりも小径のスライド部１２ｄを形成する一方、ブラケット１３に有底の穴部１３ｂを形成して、その穴部１３ｂにスライド手摺り１２のスライド部１２ｄをスライド移動可能に嵌挿するようにすることもできる。こうすれば、引戸扉７が開き操作されてスライド手摺り１２が戸先側に向かう方向に押されたとき、その初期に一旦スライド部１２ｄがブラケット１３の穴部１３ｂ内に入り込んだ後にローラ２０が押されて案内レール１６内を上昇するようになるので、引戸扉７の開き動作に対してスライド手摺り１２の回動が遅れて始まるようになり、スライド手摺り１２を遅れてスライドさせる遅延機構が得られ、スライド手摺り１２の動きに特徴が生じる。
【００６０】
上記実施形態は、吊り戸タイプの引違い納まり構造の引戸Ｄの例であるが、他のタイプや納まり構造の引戸にも本発明の適用が可能であり、上記各実施形態と同様の作用効果を奏することができる。それらの引戸に適用した場合を図１３〜図１７に示す。
【００６１】
図１３は片引き納まりの手摺り付き引戸Ｄを示す。この引戸Ｄでは、戸枠１の左右の縦枠２，２間の後側に方立３０が立設されている。この方立３０と一方の縦枠である例えば右縦枠２との間に開口部４が形成され、方立３０と他方の縦枠である左縦枠２との間の後側に壁材３１が貼り渡され、この壁材３１の前側に開き状態の１枚の引戸扉７が納まるようになっており、引戸Ｄは例えば右開きとなっている。方立３０前側の廊下Ｃに柱部材１０が立設され、この柱部材１０の上端部にスライド手摺り１２の戸尻側端部１２ａが回動可能に支持され、スライド手摺り１２の戸先側端部１２ｂ（右端部）は引戸扉７の戸先端部に上方にスライド可能に支持されている。柱部材１０と左縦枠２外側（左隣り）の柱との間の前側には固定手摺り２５が架け渡され、この固定手摺り２５は水平位置（使用位置）にあるときにスライド手摺り１２と直線状に連続するようになっている。尚、縦枠２の固定具（ビス等）についての保持力が強い場合には、該縦枠２と柱部材１０との間に固定手摺り２５を架け渡してもよい。
【００６２】
図１４は引込み納まりの手摺り付き引戸Ｄを示し、戸枠１の左右の縦枠２，２間に前後１対の方立３０，３０が立設されている。方立３０，３０と一方の縦枠である例えば右縦枠２との間に開口部４が形成され、方立３０，３０と他方の縦枠である左縦枠２との間の前後両側にそれぞれ壁材３１，３１が貼り渡され、この壁材３１，３１間の戸袋に開き状態の１枚の引戸扉７が納まるようになっており、引戸Ｄは例えば右開きとなっている。方立３０前側の廊下Ｃに柱部材１０が立設され、この柱部材１０の上端部にスライド手摺り１２の戸尻側端部１２ａが回動可能に支持され、スライド手摺り１２の戸先側端部１２ｂ（右端部）は引戸扉７の戸先端部に上方にスライド可能に支持されている。尚、柱部材１０は方立３０の前側ではなく、前側方立３０の右側（開口部４内）の廊下Ｃに立設することもできる。
【００６３】
図１５は引分け納まりの手摺り付き引戸Ｄを示し、上記図１３に示す片引き納まりの手摺り付き引戸Ｄにおいて、引戸扉７の戸先側を対称面に面対称に展開したものである。すなわち、戸枠１内に左右２枚の引戸扉７，７が配置され、左右２本の柱部材１０，１０がそれぞれ左右の方立３０，３０前側の廊下Ｃに立設され、これら左右の柱部材１０，１０にそれぞれ左右のスライド手摺り１２，１２の戸尻側端部１２ａ，１２ａが回動可能に支持され、両スライド手摺り１２，１２の戸先側端部１２ｂ，１２ｂはそれぞれ左右の引戸扉７，７の戸先端部に上方にスライド可能に支持されている。
【００６４】
図１６は、アウトセットタイプの片引き納まりの手摺り付き引戸Ｄを示す。この引戸Ｄは、図１３に示す構造のように引戸扉７が戸枠１内に配置されたインセットタイプではなく、引戸扉７が戸枠１外で前側（廊下Ｃ側）に配置されたアウトセットタイプとされ、この引戸扉７は、上枠３前側に配設した上吊りレール（図示せず）に吊り下げられて左右方向に移動し、戸枠１内の開口部４をその前側位置で開閉するようになっており、引戸Ｄは例えば右開きとなっている。この引戸扉７の戸尻側に位置する例えば左側縦枠２前側の廊下Ｃの床面に柱部材１０が立設され、この柱部材１０の上端部にスライド手摺り１２の戸尻側端部１２ａが回動可能に支持され、スライド手摺り１２の戸先側端部１２ｂ（右端部）は引戸扉７の戸先端部に上方にスライド可能に支持されている。尚、この引戸扉７の下端部も、その下面のガイド溝と廊下Ｃ床面上の床付けガイドピンとの係合によって支持されている。
【００６５】
図１７はアウトセットタイプの引分け納まりの手摺り付き引戸Ｄを示し、上記図１６に示す片引き納まりの手摺り付き引戸Ｄにおいて、引戸扉７の戸先側を対称面に面対称に展開したものである。すなわち、戸枠１外の前側に左右２枚の引戸扉７，７が配置され、左右２本の柱部材１０，１０がそれぞれ左右の縦枠２，２前側の廊下Ｃに立設され、これら左右の柱部材１０，１０にそれぞれ左右のスライド手摺り１２，１２の戸尻側端部１２ａ，１２ａが回動可能に支持され、両スライド手摺り１２，１２の戸先側端部１２ｂ，１２ｂはそれぞれ左右の引戸扉７，７の戸先端部に上方にスライド可能に支持されている。また、図１３に示す引戸Ｄと同様に、柱部材１０に固定手摺り２５が支持されている。
【産業上の利用可能性】
【００６６】
本発明は、引戸扉に取り付けられる手摺りが引戸扉の閉じ状態で直線状あるときに、その手摺りに加わる荷重を主として柱部材で受けて、手摺りの安定性や信頼性の向上を図ることができるので、極めて有用である。
【符号の説明】
【００６７】
Ｄ  手摺り付き引戸
Ｃ  廊下
Ｒ  室
１  戸枠
４  開口部
４Ｅ  有効開口
７  引戸扉
１０  柱部材
１２  スライド手摺り
１２ａ  戸尻側端部
１２ｂ  戸先側端部
１４  回転軸
１６  案内レール
１６ａ  傾斜面
２０  ローラ
２５  固定手摺り
【図１】
2016061103.tif 000003
【図２】
2016061103.tif 000004
【図３】
2016061103.tif 000005
【図４】
2016061103.tif 000006
【図５】
2016061103.tif 000007
【図６】
2016061103.tif 000008
【図７】
2016061103.tif 000009
【図８】
2016061103.tif 000010
【図９】
2016061103.tif 000011
【図１０】
2016061103.tif 000012
【図１１】
2016061103.tif 000013
【図１２】
2016061103.tif 000014
【図１３】
2016061103.tif 000015
【図１４】
2016061103.tif 000016
【図１５】
2016061103.tif 000017
【図１６】
2016061103.tif 000018
【図１７】
2016061103.tif 000019